(57)【特許請求の範囲】
【請求項１】
複数のＩＳＤＮ回線により構成されるＩ’回線を接続する複数の回線接続部を備えた回線制御装置に於いて、
前記複数の回線接続部に接続される前記複数のＩＳＤＮ回線の中からＤチャネルを有するＩＳＤＮ回線を検出し、該Ｄチャネルを有するＩＳＤＮ回線からＤチャネル情報を抽出するＤチャネル制御部と、
該複数の回線接続部からパケットデータを抽出する情報チャネル制御部とを設け、
前記Ｄチャネル制御部により抽出されたＤチャネル情報に基づき、前記Ｉ’回線を制御することを特徴とする回線制御装置。
【請求項２】
請求項１に於いて、
前記Ｄチャネル制御部は、前記複数の回線接続部に接続される前記複数のＩＳＤＮ回線のレイヤ２の同期信号の有無によりＤチャネルを有するＩＳＤＮ回線を検出することを特徴とする回線制御装置。
【請求項３】
請求項１に於いて、
前記Ｄチャネル制御部は、前記複数の回線接続部に接続される前記複数のＩＳＤＮ回線に対するリンク設定の結果によりＤチャネルを有するＩＳＤＮ回線を検出することを特徴とする回線制御装置。
【請求項４】
請求項３に於いて、
前記Ｄチャネル制御部は、前記複数の回線接続部に接続される前記複数のＩＳＤＮ回線に対するリンク設定を行い、応答があるＩＳＤＮ回線をＤチャネルを有するＩＳＤＮ回線として検出することを特徴とする回線制御装置。
【発明の詳細な説明】
【０００１】
【発明の属する技術分野】
本発明は、複数のＩＳＤＮ回線により構成されるＩ’インタフェースを接続可能とする装置に関し、特に、複数のＩＳＤＮ回線の内の１つの呼制御情報チャネル（Ｄチャネル）により複数のＩＳＤＮ通信回線を制御する装置に関する。
【０００２】
【従来の技術】
Ｉ’インタフェースは、ディジタル網とＰＨＳ公衆基地局間のインタフェースであり、その構造は、「ＴＴＣ標準  第II巻  第４分冊  ユーザ・網インタフェース［ユーザ・網インタフェース  移動通信関連］１９９３  (第１版)  発行：(社)電信電話技術委員会  Ｐ２４３〜Ｐ２４５」に公開されている。
【０００３】
このＩ’回線は、図３に示す様に、複数のＩＳＤＮ回線である２Ｂ＋Ｄと２Ｂ×ｎ（ｎは整数）により構成される。
Ｉ’回線を接続可能とする従来の回線制御装置を図４を参照しながら説明する。
４０１は複数のＩＳＤＮ回線により構成されるＩ’回線、４０２はＩ’回線４０１を物理的に接続するための回線接続部、４０３は回線接続部４０２から呼制御を行うＤチャネル（呼制御情報チャネル）を抽出し、Ｂチャネル（データチャネル）のパケットデータの組立及び分解を行いＢチャネル情報信号を後述する主制御部４０５に供給する情報チャネル／Ｄチャネル制御部、４０４は回線接続部４０２からＢチャネルのパケットデータの組立及び分解を行いＢチャネル情報信号を後述する主制御部４０５に供給する情報チャネル制御部、４０５はＣＰＵ等から構成され、情報チャネル／Ｄチャネル制御部４０３及び情報チャネル制御部４０４からの情報を受け、その情報の基づいて所定の制御を行う主制御部により回線制御装置が構成されている。特に情報チャネル／Ｄチャネル制御部４０３は、Ｄチャネルを有する回線４０６を接続することで、他の情報チャネルしか持たない回線４０７の呼制御も同時に制御し、Ｄチャネル共用を実現していた。例えば、Ｄチャネルを持たない回線４０７で情報を送受信する場合には、Ｄチャネルを有する回線４０６から情報チャネル／Ｄチャネル制御部４０３を介してＤチャネルを抽出し、呼制御を行った後、情報の送受信を行っていた。
【０００４】
【発明が解決しようとする課題】
従来の回線制御装置では、Ｄチャネルを有する回線４０６は、固定的に情報チャネル／Ｄチャネル制御部４０３に接続される回線接続部４０２に接続しなければならず、何らかの事情で、Ｄチャネルを有する回線を異なる回線接続部に接続した場合やＤチャネルに障害が発生した場合、Ｉ’回線が通信不可能となってしまうという問題点を有していた。
【０００５】
本発明は、前記問題点に鑑みてなされたものであり、Ｄチャネルを有する回線が、どの回線接続部に接続されても正常に動作する回線制御装置を提供することを目的とするものである。
【０００６】
【課題を解決するための手段】
請求項１は、複数のＩＳＤＮ回線により構成されるＩ’回線を接続する複数の回線接続部を備えた回線制御装置に於いて、前記複数の回線接続部に接続される前記複数のＩＳＤＮ回線の中からＤチャネルを有するＩＳＤＮ回線を検出し、該Ｄチャネルを有するＩＳＤＮ回線からＤチャネル情報を抽出するＤチャネル制御部と、該複数の回線接続部からパケットデータを抽出する情報チャネル制御部とを設け、前記Ｄチャネル制御部により抽出されたＤチャネル情報に基づき、前記Ｉ’回線を制御することを特徴とするものである。
【０００７】
請求項２は、請求項１に於いて、前記Ｄチャネル制御部は、前記複数の回線接続部に接続される前記複数のＩＳＤＮ回線のレイヤ２の同期信号の有無によりＤチャネルを有するＩＳＤＮ回線を検出することを特徴とするものである。
請求項３は、請求項１に於いて、前記Ｄチャネル制御部は、前記複数の回線接続部に接続される前記複数のＩＳＤＮ回線に対するリンク設定の結果によりＤチャネルを有するＩＳＤＮ回線を検出することを特徴とするものである。
【０００８】
請求項４は、請求項３に於いて、前記Ｄチャネル制御部は、前記複数の回線接続部に接続される前記複数のＩＳＤＮ回線に対するリンク設定を行い、応答があるＩＳＤＮ回線をＤチャネルを有するＩＳＤＮ回線として検出することを特徴とするものである。
【０００９】
【発明の実施の形態】
本発明の回線制御装置の一実施の形態を説明する。
図１は本発明の回線制御装置の一実施の形態を示す機能ブロック図である。図２及び図３は本発明の回線制御装置に於けるＤチャネル回線判定動作の一実施の形態を示すフローチャートである。
【００１０】
図１に於いて、１０１は複数のＩＳＤＮ回線により構成されるＩ’回線、１０２はＩ’回線１０１を物理的に接続するための回線接続部、１０３は回線接続部１０２から呼制御を行うＤチャネル（呼制御情報チャネル）を抽出するＤチャネル制御部、１０４は回線接続部１０２からＢチャネル（データチャネル）のパケットデータの組立及び分解を行ったＢチャネル情報信号を後述する主制御部１０５に供給する情報チャネル制御部、１０５はＣＰＵ等から構成され、Ｄチャネル制御部１０３及び情報チャネル制御部１０４からの情報を受け、その情報の基づいて所定の制御を行う主制御部により回線制御装置が構成されている。尚、本実施の形態では、Ｉ’回線は２Ｂ＋Ｄと２Ｂとにより構成されているものとする。又、情報チャネル制御部１０４は、エコーキャンセラー回路（図示せず）を備えており、Ｂチャネル上の音声をエコーキャンセルし、パケットデータのみ処理を行う。
【００１１】
以上の様な構成に於いて、Ｄチャネル制御部１０３のＤチャネル回線判定動作を図２に従って説明する。
Ｄチャネル制御部１０３は、複数の回線接続部１０２に接続されている回線に対しＤチャネル信号の解析を予め設定されている順に順次行う。本実施の形態では、回線接続部１０２Ａ、回線接続部１０２Ｂの順に、接続されているＩＳＤＮ回線のＤチャネル信号の解析を行うものとする。又、回線接続部１０２Ａに接続されているＩＳＤＮ回線１０６が２Ｂ＋Ｄ、回線接続部１０２Ｂに接続されているＩＳＤＮ回線１０７が２Ｂであるものとする。
【００１２】
Ｓ１に於いて、回線接続部１０２Ａに接続されているＩＳＤＮ回線１０６のフレーム同期を行い、Ｄチャネル信号の解析を行う。
Ｓ２に於いて、Ｓ１にて解析したＤチャネルに、レイヤ２の同期信号であるフラグが存在するか否かを判断し、フラグが検出された場合、Ｓ４に進み、予め各回線接続部に対応付けられて用意されているレジスタにフラグ検出を示す旨の情報を記憶させる。一方、Ｓ２に於いて、フラグが検出されなかった場合、Ｓ３に進み、予め各回線接続部に対応付けられて用意されているレジスタにフラグ検出できなかった旨の情報を記憶させる。本実施の形態では、Ｓ４に進む。
【００１３】
Ｓ５に於いて、回線接続部１０２Ｂに接続されているＩＳＤＮ回線１０７のフレーム同期を行い、Ｄチャネル信号の解析を行う。
Ｓ６に於いて、Ｓ５にて解析したＤチャネルに、レイヤ２の同期信号であるフラグが存在するか否かを判断し、フラグが検出された場合、Ｓ８に進み、予め各回線接続部に対応付けられて用意されているレジスタにフラグ検出を示す旨の情報を記憶させる。一方、Ｓ６に於いて、フラグが検出されなかった場合、Ｓ７に進み、予め各回線接続部に対応付けられて用意されているレジスタにフラグ検出できなかった旨の情報を記憶させる。本実施の形態では、Ｓ７に進む。
【００１４】
Ｓ９に於いて、回線接続部１０２Ａに対応付けられたレジスタが、フラグ検出した旨を示す情報を記憶しているか否かを判断し、フラグ検出した旨を示す情報を記憶している場合、Ｓ１０に進み、回線接続部１０２Ａに接続されているＩＳＤＮ回線１０６に対しレイヤ２のリンク設定要求信号を送信し、次のステップに進む。一方、Ｓ９に於いて、フラグ検出されなかった旨を示す情報を記憶している場合、Ｓ１１に進む。
【００１５】
Ｓ１１に於いて、回線接続部１０２Ｂに対応付けられたレジスタが、フラグ検出した旨を示す情報を記憶しているか否かを判断し、フラグ検出した旨を示す情報を記憶している場合、Ｓ１２に進み、回線接続部１０２Ｂに接続されているＩＳＤＮ回線１０７に対しレイヤ２のリンク設定要求信号を送信し、次のステップに進む。一方、Ｓ１１に於いて、フラグ検出されなかった旨を示す情報を記憶している場合、Ｓ１３に進む。
【００１６】
Ｓ１３に於いて、Ｓ１０にて送信したレイヤ２のリンク設定要求信号に対する応答信号が回線接続部１０２Ａに接続されているＩＳＤＮ回線１０６からあった場合、レイヤ２のリンクが確立されＤチャネルを有する回線であると判断し、Ｓ１４に於いて、予め各回線接続部に対応付けられて用意されているレジスタにＤチャネル有効を示す旨の情報を記憶させ、次のステップに進む。一方、Ｓ１３に於いて、応答信号がない場合、次のステップに進む。
【００１７】
Ｓ１５に於いて、Ｓ１２にて送信したレイヤ２のリンク設定要求信号に対する応答信号が回線接続部１０２Ｂに接続されているＩＳＤＮ回線１０７からあった場合、レイヤ２のリンクが確立されＤチャネルを有する回線であると判断し、Ｓ１６に於いて、予め各回線接続部に対応付けられて用意されているレジスタにＤチャネル有効を示す旨の情報を記憶させ、次のステップに進む。一方、Ｓ１５に於いて、応答信号がない場合、次のステップに進む。
【００１８】
Ｓ１７に於いて、各回線接続部に対応付けられて用意されているレジスタの複数にＤチャネル有効を示す旨の情報が記憶されている場合、即ち、複数の回線（本実施の形態では２回線）からレイヤ２のリンク設定要求信号に対する応答信号がありレイヤ２のリンクが確立され、複数の回線がＤチャネルを有すると判断された場合、Ｓ１８に進み、更に上位レイヤにより各回線のＤチャネルの接続可否を判断し、Ｓ１９に於いて、接続不可の回線側のリンクを切断し、Ｓ２０に於いて、接続不可の回線接続部に対応付けられて用意されているレジスタに、フラグ検出できなかった旨を示す情報を記憶する。つまり、Ｉ’回線１０１中にはＤチャネルを有する回線が２つ以上ありえない為、下層レイヤで判断できない場合には、上位レイヤによりＤチャネルを有する回線を検出することになる。
【００１９】
又、Ｓ１７に於いて、各回線接続部に対応付けられて用意されているレジスタの複数にＤチャネル有効を示す旨の情報が記憶されている場合に於いて、Ｄチャネルを有する回線を検出する他の処理としては、Ｓ２１に進み、予め設定されている回線接続部の優先順位（本実施の形態では、１０２Ａ、１０２Ｂという順であるとする）に基づき、第２優先順位の回線接続部１０２Ｂに接続されている回線のリンクを切断し、Ｓ２２に於いて、第２優先順位の回線接続部に対応付けられて用意されているレジスタに、フラグ検出できなかった旨を示す情報を記憶する。
【００２０】
以上の様な検出処理により、Ｄチャネル制御部１０３はＤチャネルを有する回線の検出後、各回線接続部に対応するレジスタに基づき、Ｄチャネルを有する回線からＤチャネル情報を抽出し、Ｄチャネル情報信号線１０８を介して主制御部１０５に供給する。
主制御部１０５は、Ｉ’回線の複数のＩＳＤＮ回線をどの回線接続部に接続しても、Ｄチャネル情報が抽出でき、このＤチャネル情報に基づき各回線に対応した情報チャネル情報の管理が行える。
【００２１】
以上、本実施の形態では、Ｉ’回線がＩＳＤＮ回線２回線の場合で説明を行ったが、多数の回線を有するＩ’回線の場合でも可能である。その場合には、回線接続部１０２（図１）をＩ’回線が有するＩＳＤＮ回線の数だけ備え、Ｄチャネル検出処理フロー（図２）のＳ１からＳ８、Ｓ９からＳ１２、Ｓ１３からＳ１６のステップを備えられる回線接続部に対して処理を行う様にすれば、多数の回線を有するＩ’回線の場合でも対応可能となる。
【００２２】
【発明の効果】
請求項１及び請求項２では、Ｉ’回線の複数のＩＳＤＮ回線をどの回線接続部に接続しても、Ｄチャネル情報が抽出でき、このＤチャネル情報に基づく制御が可能となるため、Ｄチャネルを有する回線とＤチャネルを持たない回線とを区別することなく回線制御装置に接続することができ、回線の誤接続やＤチャネルの障害等によるトラブルを防止できる。
【００２３】
請求項２及び請求項３では、請求項１及び請求項２の効果に加え、上位レイヤによるリンク設定によりＤチャネルを有する回線を検出するため、何らかの影響で下位レイヤにより複数の回線からＤチャネルが検出されても、正常なＤチャネルを有する回線を検出できる。
【図面の簡単な説明】
【図１】本発明の回線制御装置の一実施の形態を示す機能ブロック図である。
【図２】本発明の回線制御装置のＤチャネル検出処理の一実施の形態を示すフローチャートである。
【図３】Ｉ’回線の模式図である。
【図４】従来の回線制御装置の一実施の形態を示す機能ブロック図である。
【符号の説明】
１０１、４０１    Ｉ’回線
１０２、４０２    回線接続部
１０３            Ｄチャネル制御部
１０４、４０４    情報チャネル制御部
１０５、４０５    主制御部
４０３            情報チャネル／Ｄチャネル制御部
【図１】
0003643628.tif 000002
【図２】
0003643628.tif 000003
【図３】
0003643628.tif 000004
【図４】
0003643628.tif 000005